(57)【特許請求の範囲】
【請求項１】
所定動作のスイッチングを行うスイッチ部材を作動するスイッチレバーと、このスイッチレバーを作動する動作カムと、この動作カムと別体で、前記スイッチレバーを前記動作カムから離間させて前記スイッチ部材をオフ状態に維持する離間レバーと、この離間レバーを作動する離間カムと、前記動作カムおよび前記離間カムの作動時間を設定するタイマー機構とを有し、
前記スイッチ部材は、可動接点板と固定接点板とで構成して、時間設定操作主軸を介して前記スイッチ部材の反対側に一方の外部接続給電端子を配設し、該一方の外部接続給電端子から前記固定接点板に通電する固定回路を設けることにより、前記一方の外部接続端子が前記可動接点板に形成した他方の外部接続給電端子とトラッキングが発生しないように離間させるとともに、前記タイマー機構により設定された作動時間の終了時点において、前記離間カムで前記離間レバーを動作させ、前記スイッチレバーを前記動作カムから離間させることにより、前記スイッチ部材をオフ状態にして所定動作を終了させるように構成して、前記一方の外部接続給電端子および前記他方の外部接続給電端子のみから給電するとともに前記一方の外部接続給電端子および前記他方の外部接続給電端子をそれぞれ異なる端子台に固定したことを特徴とするタイムスイッチ。
【請求項２】
前記動作カムと前記離間カムの動作を一つの駆動源によって駆動したことを特徴とする請求項１に記載のタイムスイッチ。
【請求項３】
前記駆動源にゼンマイを使用したことを特徴とする請求項２に記載のタイムスイッチ。
【請求項４】
前記タイマー機構は、ゼンマイの弛緩速度を調速する調速手段と、設定された動作時間の終了時点において前記調速手段を拘束し、タイマー機構を停止させる停止手段とを持ち、この停止手段は前記離間カムと同軸上に設けられた停止カムと、この停止カムの作用で前記調速手段を拘束する停止用接片部材とからなり、前記停止用接片部材を導電性のある弾性材料で構成して、延在部分を前記一方の外部接続給電端子としたことを特徴とする請求項３に記載のタイムスイッチ。
【発明の詳細な説明】
【０００１】
【発明の属する技術分野】
本発明は周期的に二回路を交互に切り換えるようにプログラムされたタイムスイッチに係わり、特に洗濯機に好適なタイマーの構造に関する。
【０００２】
【従来の技術】
従来、洗濯機用反転タイムスイッチ１００は、図７に示されるように、洗濯槽を定期的に逆転させる反転時間を制御する反転スイッチ１０１と、洗濯全時間を制御するメインスイッチ１０２の二種類のスイッチで構成されている。ゼンマイ式タイマー機構Ｔのゼンマイ蓄勢力で駆動される反転カム１０１ａによって動作する反転レバー１０１ｂが反転スイッチ１０１を開閉し、設定した時間の終了時において、同様にゼンマイ駆動で回転する主軸１０３に組込まれた停止カム１０４の低段部１０４ａに板バネ１０５で付勢されている停止用接片部材１０５ｂが陥入したとき、板バネ１０５に設けられた可動接点１０６ａが固定接点１０６ｂから離れ、メインスイッチ１０２がオフとなる構成である。
【０００３】
【発明が解決しようとする課題】
しかしながら、洗濯機に適用されているこの従来例においては、端子１０７ａ，１０７ｂが直接インサートモールドによって端子台１０８の近接位置に配設されているので、水や繊維屑などが集積して不測の短絡（トラッキング）を生じ、出火の要因となる可能性を含む。このため、端子台１０８の耐熱性を強化したり難燃性にしたりする配慮が必要となるが、これでトラッキングが解消されるわけではない。また、二種類のスイッチを内蔵するため、製造コストが割高となることは避けられない。
【０００４】
そこで本発明の目的は、反転スイッチとメインスイッチを一つのスイッチに集成してトラッキングを解消して安全なタイムスイッチを提供すると共に製造コストを低減することにある。
【０００５】
【課題を解決するための手段】
上記の目的を達成するために、本発明に係わるタイムスイッチは、所定動作のスイッチングを行うスイッチ部材を作動するスイッチレバーと、このスイッチレバーを作動する動作カムと、この動作カムと別体で、前記スイッチレバーを前記動作カムから離間させて前記スイッチ部材をオフ状態に維持する離間レバーと、この離間レバーを作動する離間カムと、前記動作カムおよび前記離間カムの作動時間を設定するタイマー機構とを有し、前記スイッチ部材は、可動接点板と固定接点板とで構成して、時間設定操作主軸を介して前記スイッチ部材の反対側に一方の外部接続給電端子を配設し、該一方の外部接続給電端子から前記固定接点板に通電する固定回路を設けることにより、前記一方の外部接続端子が前記可動接点板に形成した他方の外部接続給電端子とトラッキングが発生しないように離間させるとともに、前記タイマー機構により設定された作動時間の終了時点において、前記離間カムで前記離間レバーを動作させ、前記スイッチレバーを前記動作カムから離間させることにより、前記スイッチ部材をオフ状態にして所定動作を終了させるように構成して、前記一方の外部接続給電端子および前記他方の外部接続給電端子のみから給電するとともに前記一方の外部接続給電端子および前記他方の外部接続給電端子をそれぞれ異なる端子台に固定したことを特徴とする。
【０００６】
特に、前記タイマー機構により設定された作動時間の終了時点において、前記離間カムで前記離間レバーを動作させ、前記スイッチレバーを前記動作カムから離間させることにより、前記スイッチ部材をオフ状態にして所定動作を終了させる。このように所定動作のスイッチングを行うスイッチ部材で終了スイッチを兼用することで構成の簡略化と部品点数の削減が行われる。しかも、前記所定動作のスイッチングを行うスイッチ部材は、可動接点板と固定接点板とで構成して、時間設定操作主軸を介して前記停止用接片部材の反対側に配設し、前記外部接続給電端子から前記固定接点板に通電する固定回路を設けた。固定接点板の外部接続給電端子と可動接点板の外部接続給電端子とが離間位置に配設され、しかも前記一方の外部接続給電端子および前記他方の外部接続給電端子のみから給電するとともに前記一方の外部接続給電端子および前記他方の外部接続給電端子をそれぞれ異なる端子台に固定したのでトラッキングが解消される。
【０００７】
このようなタイムスイッチは、前記動作カムと前記離間カムの動作を一つの駆動源によって駆動し、しかも駆動源にはゼンマイを使用した。また、前記タイマー機構は、ゼンマイの弛緩速度を調速する調速手段と、設定された動作時間の終了時点において前記調速手段を拘束し、全ての動作を停止させる停止手段とを持つ。ゼンマイのように出力トルクが弱く、ゼンマイが動作の途中で停止してしまうという不具合が懸念される場合、終了スイッチを設けないことは、このスイッチを作動させるための負荷が減少するので有利である。
【０００８】
さらに、この停止手段は前記離間カムと同軸上に設けられた停止カムと、この停止カムの作用で前記調速手段を拘束する停止用接片部材とからなり、この停止用接片部材を導電性のある弾性材料で構成して、延在部分を一方の外部接続給電端子とする。
【００１０】
【発明の実施の形態】
以下に、本発明に係わるタイムスイッチの実施の形態を図面に基づいて説明する。図１は本発明に係わるタイムスイッチ１０の平面図で、図２は図１のII−II線に沿って展開した断面図、図３は分解斜視図である。タイムスイッチ１０は、機構部を収納して支持する樹脂製第一機枠１１と、駆動源となるゼンマイ１２を収納する香箱１３を形成した第二機枠１４が互いの外縁を嵌合して形成する箱体によって外郭が画定され（図２参照）、第一機枠１１に形成した防水壁１１１を隔てて電気配線の外部接続端子１１２，１１３，１１４が配置されている。
【００１１】
また、第一機枠１１のほぼ中央には、主軸１５を軸支する軸受孔１１６が貫通し、軸受孔１１６の外周に停止カム１６を回動自在に支持する軸受ボス１１７が内側に突出する。主軸１５の一方の端部は、軸受孔１１６から紙面下方に挿通されて第一機枠１１外部に突出し時間設定用の摘み（図示しない）が装着される。主軸１５の他方の端部は、紙面上部側で第二機枠１４に軸支され、この端部近傍に樹脂製の主歯車１７が摩擦結合され摩擦力の範囲内で回転力の伝達が行われる。
【００１２】
すなわち、主歯車１７には内側に突出部１７１を持つ係合凹部１７２が形成され、摩擦力を超える回転力は、主軸１５に固定した摩擦板１７３の突起１７４が主歯車１７の突出部１７１に当接したときのみ回転の伝達が行われる摩擦クラッチを形成している。主歯車１７のボス部に設けた鉤部をゼンマイ１２の始端部に穿設した透孔に掛止して主歯車１７を介してゼンマイ１２と主軸１５とを結合する。
【００１３】
主歯車１７に噛合する樹脂製ピニオン１８は、一体に形成された弾性腕先端のラチェット爪をピニオン１８と同軸の樹脂製大歯車１９のラチェット内歯に係合して一方向クラッチを形成する。すなわち、主軸１５でゼンマイ１２を巻き込んで蓄勢するときは、ピニオン１８の回転力は大歯車１９に伝達されず、ゼンマイ１２の付勢力で主軸１５を逆向きに回転させるときは、ピニオン１８の回転力は大歯車１９に伝達される。
【００１４】
ゼンマイ１２の蓄勢力が主歯車１７を介してピニオン１８をゼンマイの巻き込み方向とは逆向きにゆっくり回転駆動するときは、増速歯車列２０を介して樹脂製雁木車２２を高速回転させる。雁木車２２のラチェットには、第一機枠１１に立設した軸１１８に旋回可能に支持され、慣性振子２３と一体のアンクル２４が係合する。慣性振子２３は、雁木車２２の一方向への回転により往復回動させられ、上記増速歯車列２０および主軸１５がゼンマイ１２の巻き戻り方向に回転する速度を一定に調節する。すなわち、大歯車１９、増速歯車列２０、雁木車２２、慣性振子２３によってタイマー機構２５を形成している。
【００１５】
一方、大歯車１９が噛合する増速歯車列２０の第一歯車２０１には、動作カム２６が同軸上で連結され、第一歯車２０１と一体で回転する。動作カム２６は、外周にそれぞれ異なった高低パターンをもつ四層の円筒カム２６１，２６２，２６３，２６４を軸方向に積層する多層カムで、樹脂の一体成形で作られる（図２および図３参照）。
【００１６】
このうち円筒カム２６１，２６３は、外周面が位相を６０°ずらした同形の高低パターンで対をなす第一円筒カム対で、円筒カム２６２，２６４は外周面が位相を６０°ずらした同形の高低パターンで対をなす第二円筒カム対である。第一円筒カム対２６１，２６３の高低パターンは、三等分された外周面の大半が高段部で、残り三か所が低段部となる。また、第二円筒カム対２６２，２６４の高低パターンは、三等分された外周面のそれぞれについて、約半分が高段部で残り約半分が低段部に形成される。しかも、円筒カム２６１，２６２が同位相に、また円筒カム２６３，２６４が同位相に形成される。
【００１７】
第一機枠１１には、弾性を有すると共に所定動作のスイッチングを行うスイッチ部材を構成する複数の接点板２７，２８，２９の基部を固定した端子台１１５ａ，１１５ｂが圧入により固定されている。接点板２９は固定接点板で、先端部は他の接点板２７，２８を幅方向に横切る向きに直角に曲げられ、各接点板２７，２８と対向する位置に二つの接点２９１が固着されている。接点板２７，２８は可動接点板で、先端部には固定接点２９１のそれぞれと接触可能な接点２７１，２８１が固着されている（図１および図３参照）。
【００１８】
動作カム２６の第一円筒カム対２６１，２６３および第二円筒カム対２６２，２６４の上段側の円筒カム２６１，２６２のいずれかには第一カムフォロアを構成するスイッチレバー３０先端の従動部３０１が選択的に摺接し、下段側の円筒カム２６３，２６４のいずれかには第二カムフォロアを構成するスイッチレバー３１先端の従動部３１１が選択的に摺接する。各従動部３０１，３１１が、動作カム２６の第一円筒カム対２６１，２６３または第二円筒カム対２６２，２６４のいずれに摺接するかは、後述するカム面切換手段によって選択される。すなわち、従動部３０１が円筒カム２６１に臨むときは、必ず従動部３１１は円筒カム２６３に臨み、従動部３０１が円筒カム２６２に臨むときは、必ず従動部３１１は円筒カム２６４に臨む。
【００１９】
各スイッチレバー３０，３１は、基部３０２，３１２に形成した軸孔が第一機枠１１に立設したレバー軸１１９に遊嵌され、動作カム２６の回転に従動してレバー軸１１９を中心に個別に揺動する。各スイッチレバー３０，３１には、それぞれ従動部３０１，３１１の反対側に接点板操作部３０３，３１３が突設され、スイッチレバー３０，３１が動作カム２６に従動して揺動するとき、各接点板操作部３０３，３１３が各可動接点板２７，２８を押動する。
【００２０】
従動部３０１，３１１のいずれかが動作カムの低段部に臨むときは、連動している可動接点板２７，２８の接点２７１，２８１のいずれかが固定接点２９１と接触して電気回路は閉成されるが、スイッチレバー３０，３１の従動部３０１，３１１が動作カム２６の低段部に同時に臨むことはない。また、従動部３０１，３１１が動作カムの高段部に臨むときは、連動している可動接点板２７，２８の接点２７１，２８１は固定接点２９１から離間して電気回路は開成される。
【００２１】
各スイッチレバー３０，３１には動作カム２６側を凹面とする湾曲部３０４，３１４が形成され、この凹面側にそれぞれ係合突部３０５，３１５が突設されている。一方、各スイッチレバー３０，３１の基部３０２，３１２を嵌装するように保持カバー３２がレバー軸１１９に外挿され、基部３０２，３１２は、保持カバー３２の上端板３２１および下端板３２２に挟持される（図２参照）。保持カバー３２の外周面は一部が切り欠かれてレバー窓３２３が形成され、基部３０２，３１２が挿入されて嵌着されているスイッチレバー３０，３１は、このレバー窓３２３から延在する。レバー窓３２３はスイッチレバー３０，３１の揺動に干渉しないように形成される。
【００２２】
レバー軸１１９は保持カバー３２の下端板３２２の下側において、扇形の平面形状をもつカム３３の円弧状長孔３３１を貫通している。カム３３は、扇の要に相当する部分に一体に形成した円柱状の軸部３３２の下端部を、第一機枠１１に一体に突設された軸支部１２０に遊嵌し、上端部を第二機枠１４に設けた透孔を貫通させることによって軸支部１２０を中心に回動可能に支持される。しかも貫通させて第二機枠１４より突出した軸部３３２の上端部には外部から手動操作することができる外部操作レバー３４の基部が回り止めして嵌合固着される（図３参照）。
【００２３】
図１に示されるように、軸部３３２は、スイッチレバー３０,３１の湾曲部３０４,３１４の凹面側に位置する。軸部３３２の外周に係合リブ３３４が軸線方向に沿いかつ半径方向に突出させて形成されている、係合リブ３３４は、外部操作レバー３４を手動操作して軸部３３２を回動させると、スイッチレバー３０,３１の両係合突部３０５,３１５と同時に当接し、さらなる回動で係合リブ３３４は両係合突部３０５,３１５を押動してスイッチレバー３０,３１を同時に回動し、従動部３０１,３１１が動作カム２６との接触を断つ位置まで一緒に離隔する。さらに、軸部３３２を回動させることによって、両係合突部３０５,３１５は係合リブ３３４から離間するので、スイッチレバー３０,３１は可動接点板２７,２８の弾性付勢力によって回動し、従動部３０１,３１１は動作カム２６の円筒面に従動可能な当接位置に復帰する。
【００２４】
扇形カム３３の先端縁部には、軸支部１２０を中心とする円弧に沿って長孔３３１が形成され、長孔３３１をレバー軸１１９が貫通することによって、扇形カム３３の回転範囲が規制される。長孔３３１の周りには軸方向の揚程をもつカム面３３５が形成されている。カム面３３５は、両端に高低差があり高段部３３６と低段部３３７とを中間の傾斜面３３８で円滑に連結している。
【００２５】
保持カバー３２の下端板３２２はカム面３３５に摺接し、保持カバー３２の上端板３２１と第二機枠１４との間に介装された圧縮コイルバネ３５の付勢力によって圧接されている。外部操作レバー３４を回動操作すると、扇形カム３３が一体的に回動し、保持カバー３２の下端板３２２が摺接するカム面３３５が傾斜面３３８を経て高段部３３６または低段部３３７に切り換えられ、コイルバネ３５と協働により保持カバー３２およびこの保持カバー３２内のスイッチレバー３０，３１がレバー軸１１９に沿って上下動する。
【００２６】
保持カバー３２の下端板３２２が扇形カム３３の高段部３３６に当接しているときは、スイッチレバー３０，３１はコイルバネ３５の付勢力に抗して上位にあり、スイッチレバー３０，３１の従動部３０１，３１１は、動作カム２６の第一円筒カム対２６１，２６３にそれぞれ対峙する。また、保持カバー３２の下端板３２２が扇形カム３３の低段部３３７に当接しているときは、スイッチレバー３０，３１はコイルバネ３５の付勢力によって下位にあり、スイッチレバー３０，３１の従動部３０１，３１１は動作カム２６の第二円筒カム対２６２，２６４にそれぞれ対峙する。
【００２７】
外部操作レバー３４の回転操作の途中で、前述のとおり軸部３３２の係合リブ３３４が係合突部３０５，３１５を押動して、スイッチレバー３０，３１を動作カム２６と接触しない範囲に回動するので、従動部３０１，３１１が動作カム２６の軸方向への移動時に、各円筒カム２６１，２６２，２６３，２６４の段差部分に干渉されることはない。また、保持カバー３２の外周には、第一機枠１１に形成されたガイド溝１２１に嵌合するガイドリブ３２４が軸方向に突設され、ガイド溝１２１に沿って移動可能で、レバー軸１１９の周りには回動不能に支持されている。
【００２８】
外部操作レバー３４、扇形カム３３、保持カバー３２を含む構成部分は、周期的な反復動作を制御するスイッチ３６，３７に対して、反復動作の間隔パターンを動作カム２６の第一円筒カム対２６１，２６３のパターンでオンオフ制御する状態と、第二円筒カム対２６２，２６４のパターンでオンオフ制御する状態との間で切り換えるカム面切換手段を構成する。そして、スイッチレバー３０，３１は可動接点板２７，２８の幅の範囲内で上下に移動する。
【００２９】
動作カム２６とは別に主軸１５に離間カム３８が嵌装され、一体で回転するように固定されている。一方、第一機枠１１に立設した支軸１２２に回動自在に支持され、離間カム３８の外周面に摺接するように離間レバー３９が配設される。離間レバー３９には、離間カム３８に当接する三角形状の従動部３９１と、スイッチレバー３０，３１の両方に同時に当接可能で、それらを動作カム２６による作動領域外に移動させる動作部３９２と、支軸１２２が貫通する回転中心孔３９３とが設けられている。
【００３０】
離間レバー３９は、その従動部３９１が離間カム３８の高段部３８１に乗り上げると、動作部３９２がスイッチレバー３０，３１を同時に動作カム２６から離間させる。この動作でスイッチレバー３０，３１は可動接点板２７，２８の弾性に抗して強制的に可動接点板２７，２８を固定接点板２９から引き離し、固定接点２９１と可動接点２７１，２８１とを接触不能にする。この作用で、外部接続端子１１２，１１３，１１４に接続されているモータ４０は停止する。
【００３１】
一方、離間レバーの従動部３９１が離間カム３８の低段部３８２に摺接するときは、スイッチレバー３０，３１は解放されて自由に動作カム２６の第一円筒カム対２６１，２６３または第二円筒カム対２６２，２６４のいずれか選択された側との接触を回復して、例えばスイッチレバー３０の従動部３０１が円筒カム２６１の低段部に落ち込んでしばらく可動接点２７１を固定接点２９１に接触させモータ４０を例えば時計方向に回転した後、従動部３０１は円筒カム２６１の高段部に押し上げられて可動接点２８１が固定接点２９１から離れてモータ４０を停止する。
【００３２】
次に円筒カム２６３の高段部にあったスイッチレバー３１の従動部３１１が低段部に落ち込んで可動接点２８１を固定接点２９１に接触させることで回路構造が変化し、モータ４０は反時計方向に反転する。そして、従動部３１１の高段部への移行で可動接点２８１は固定接点２９１から離れてモータ４０は停止する。次に円筒カム２６１の低段部に落ち込んだスイッチレバー３０でモータ４０の時計方向の回転回路がオンからオフに移行し、順次動作カム２６の回転に従って、第一円筒カム対２６１,２６３または第二円筒カム対２６２,２６４の高段部および低段部に従動部３０１,３１１が追動してこの動作が反復させる。４１はコンデンサで、モータ１０の回転方向の設定に関与する。
【００３３】
第一機枠１１で主軸１５が挿通される軸受孔１１６外周に突設された軸受ボス１１７に嵌装される停止カム１６は、主軸１５の中心軸線を共通の回転中心として重ね合わせられている。停止カム１６は外周の大半を占める高段部１６１と外周の一部に形成された低段部１６２からなるカム面を有し、第一機枠１１の軸受ボス１１７の外周に沿う中心孔１６３と、中心孔１６３の一部を切り欠いてなる係合凹部１６４を有する（図３参照）。
【００３４】
離間カム３８から延在するカラーの下部に突出するキー３８３が係合凹部１６４に嵌まり合うことで、離間カム３８と停止カム１６が互いに連動して、この状態で両カム３８，１６が所定の範囲で相対回転できるように、キー３８３と係合凹部１６４との間に周方向の遊びが設けられている。従って、主軸１５が回転したとき、キー３８３が係合凹部１６４の端部を押すまでは、離間カム３８は先行して回転し、停止カム１６は回転しない。キー３８３が係合凹部１６４の端部と係合した後は、両カム３８，１６が一体的に回転する。
【００３５】
また、両カム３８，１６を重ねた状態では、離間カム３８の高段部３８１と停止カム１６の低段部１６２の機能位置がほぼ同期的に重なっている。すなわち、離間カム３８が先行してモータ４０を停止直後に停止カム１６がタイマー機構２５を停止させる。一方、端子台１１５ａに基部をインサートモールドで固定された板バネ４４の先端に固設された停止用接片部材４２は、板バネ４４の付勢力で停止カム１６に押圧されて摺接しており、停止用接片部材４２が停止カム１６の高段部１６１に摺接しているときは、板バネ４４の先端が慣性振子２３のピン２３１から離間して、慣性振子２３は規則的な自由振動が可能で主軸１５および動作カム２６の回転を所定の回転速度に維持している。
【００３６】
タイマー機構２５に制御された速度で主軸１５と共に離間カム３８が回転して、ゼンマイ１２の蓄勢力の下限において離間カム３８の高段部３８１に離間レバー３９の従動部３９１が押上げられ、スイッチレバー３０,３１を押動し、モータ回路をオフしてモータ４０を停止させる。この時点と同時、もしくは少しのタイムラグを経て、停止用接片部材４２が離間カム３８と一体で回転する停止カム１６の低段部１６２に陥入し、板バネ４４の先端部４４１が慣性振子２３の揺動を規制し、タイマー機構２５の駆動系を停止させる。
【００３７】
板バネ４４は導電性材料で形成して、一方を外部接続給電端子１１２とし、また直角方向に内部接続端子１１２ａを突出させて、端子台１１５ａにインサートモールドで固定する。端子台１１５ａ上面に突出する内部接続端子１１２ａは上部より切込みをいれて固定接点板２９の端部を圧入し、電気的に導通させる（図３参照）。固定接点板２９は外部接続給電端子１１２より厚い導電性材料で構成し、可動接点板２７，２８との対向位置まで延在させて、可動接点板２７，２８と協働で動作スイッチ３６，３７を構成する。
【００３８】
動作スイッチ３６，３７は、主軸１５を介して停止用接片部材４２と反対側に位置するので、可動接点板２７，２８の外部接続給電端子１１３，１１４は、停止用接片部材４２の板バネ４４の延在部分である他方の外部接続給電端子１１２から十分な離間距離にあり、この端子間でトラッキングが生じることはない。
【００３９】
次に、タイムスイッチ１０の動作について説明する。先ず摘み（図示しない）の操作により主軸１５を回動させて摩擦板１７３の突起１７４を主歯車１７の突出部１７１に当接させて約３００°回転し、ゼンマイ１２を十分に巻き上げてから、摘みを戻しながら目盛に合せて所要の時限を設定する。この時、摩擦クラッチによって主歯車１７は回動せず、主軸１５だけが回動して原位置からの変位角度が設定時限となる。すなわち、主軸１５は設定された角度範囲をゼンマイによって駆動され原位置に復帰する。
【００４０】
この過程において、ゼンマイ１２の蓄勢力が増速歯車列２０を回転駆動し、タイマー機構２５の作動によって主軸１５はゼンマイ巻き上げ方向と逆の方向に定速で回転駆動される。また、主軸１５の回動角度設定により、離間カム３８も同じ角度に変位して、低段部３８２には離間レバー３９の従動部３９１が当接し、スイッチレバー３０，３１は、動作カム２６の第一円筒カム面対２６１，２６３あるいは第二円筒カム面対２６２，２６４による制御に追動可能になる。離間カム３８は、主軸１５の回転に伴い、設定された変位位置から原位置に向かって回転する。
【００４１】
増速歯車列２０の第一歯車２０１と同軸で一体に回転する動作カム２６は比較的早い速度で回転駆動される。動作カム２６が回転すると、スイッチレバー３０，３１の従動部３０１，３１１が対峙する動作カム２６の面が高段部と低段部とに交互に切り替わり、従動部３０１，３１１が高段部に対峙するときはスイッチ３６，３７がオフ、従動部３０１，３１１が低段部に対峙するときはスイッチ３６，３７がオンとなる。
【００４２】
ここで、図４（ａ）に概略図示されるように、外部操作レバー３４により弱水流が選択されてスイッチレバー３０，３１の従動部３０１，３１１が動作カム２６の第一円筒カム面対２６１，２６３に対峙しているときは、上記した第一円筒カム面対２６１，２６３の構成により、スイッチ３６とスイッチ３７とは位相差６０°で交互にオン・オフ動作を繰り返す。この場合は設定時間内におけるモータ４０の動作時間は短く停止時間が長いため、弱水流による洗濯となる。
【００４３】
一方、外部操作レバー３４を回動して強水流が選択されると、保持カバー３２の下端板３２２が扇形カム３３の低段部３３７に当接してスイッチレバー３０，３１は下方移動し、従動部３０１，３１１は動作カム２６の第二円筒カム面対２６２，２６４にそれぞれ対峙する。この場合も、動作カム２６の回転により二つのスイッチ３６，３７が一定周期で交互にオン・オフするが、第二円筒カム面対２６２，２６４における高段部は中心角約７０°の範囲に設けられ、低段部は中心角約５０°の範囲に設けられているため、モータ４０はカム間の位相差６０°との間隔１０°に相当する比較的短いオフ時間をおいて比較的長い時間の正転動作と逆転動作を交互に繰り返す。このように、設定時間内におけるモータ４０の動作時間が長く、停止時間が短いため強水流による洗濯となる。
【００４４】
図４（ｂ）に概略図示されるように、設定時間が経過して離間カム３８が原位置に復帰すると、離間レバー３９は、従動部３９１が離間カム３８の高段部３８１に押上げられて回動し、動作部３９２がスイッチレバー３０，３１の背面に当接して一斉に押動し、可動接点板２７，２８の弾性付勢力で圧接している動作カム２６との接触を断つ。この動作でスイッチレバー３０，３１は可動接点板２７，２８をその弾性力に抗して同時に強制的に湾曲させ、可動接点２７１，２８１と固定接点２９１との接触を阻止して電気回路をオフする。
【００４５】
それと同時またはその直後に、原位置に復帰した停止カム１６の低段部１６３に、停止用接片部材４２が板バネ４４の作用で落ち込み、板バネ４４の先端部が慣性振子２３のピン２３１に当接して、慣性振子２３の揺動を阻止することで、タイマー機構２５を停止させる。
【００４６】
図５は第二実施例で、停止用接片部材に対する別の実施例を示す。第一実施例と共通する部材には同一符号を使用する。すなわち、停止用接片部材４５を樹脂で成形して、その基部４５１を端子台１１５ａに突設したブラケット４３に枢支し、変形板バネ４６で付勢して、停止用接片部材４５の従動部４５２を停止カム１６のカム面に圧接する。そして、タイマー機構２５の動作終了時に原位置に復帰した停止カム１６の低段部１６２に停止用接片部材４５の従動部４５２が陥入することで、変形板バネ４６の先端部４６１が慣性振子２３のピン２３１の動きを抑制しタイマー機構２５を停止する。固定接点板２９は外部接続端子１１２まで一定の厚さの板材で形成し、端子台４３にインサートモールドせずに圧入で組込むようにして、端子台４３の成形金型を簡素化することができる。
【００４７】
図６は第三実施例で、離間カムに対する別の実施例を示す。図５と同様に、第一実施例と共通する部材は同一符号で示す。すなわち、停止カム１６の上面に重ねて、主軸１５の中心軸線を共通の回転中心とする補助カム４７を離間カム３８との間に介入させ、第一機枠１１に立設した支軸１２２を中心に回動する補助レバー４８を捩りコイルバネ４９で付勢して補助カム４７に臨ませる。補助カム４７は外周の大半を高段部で占め、離間カム３８の高段部３８１と同期する位置に低段部４７１を形成する。捩りコイルバネ４９の代わりに、Ｕ字形板バネまたは圧縮コイルバネを使用してもよい。
【００４８】
補助カム４７の主軸１５を挿通する中心孔４７２の一部を切り欠いて係合凹部４７３を形成し、離間カム３８の下方側に突出したキー４７４と係合させる。そして、停止カム１６の係合凹部１６４には、補助カム４７の下面側に突出させたキー（図示しない）を係合させる。離間カム３８と補助カム４７を重ねたとき、離間カム３８のキー４７４が補助カム４７の係合凹部４７３に嵌入して両カム３８，４７が互いに保持しあい、この状態で両カム３８，４７が所定の範囲で相対回転できるようにキー４７４と係合凹部４７３との間に遊びが設けられる。
【００４９】
従って、主軸１５と共に回転する離間カム３８のキー４７４が係合凹部４７３の端部を押して補助カム４７は一体に回転するが、補助カム４７が設定時間の終了で原位置に復帰する低段部４７１に補助レバー４８の従動部４８１が係合する最初の過程で、補助レバー４８を付勢している捩りコイルバネ４９の弾性付勢力が補助レバー４８の回動を強制して、キー３４８と係合凹部４７３との間に設けた遊びによってスナップアクション的に急速に補助カム４７を旋回させる。この急速作動による慣性力が加わってオフ操作は一層確実なものとなる。
【００５０】
補助レバー４８は捩りコイルバネ４９の付勢を受けて急速旋回する補助レバー４８は、離間カム３８によるスイッチレバー３０，３１の回動を助勢する。この動作で、停止カム１６も原位置に復帰してタイマー機構２５を停止させる。これは、設定時間の終了近くではゼンマイ１２の蓄勢力が大半が放出されている場合に、ゼンマイ１２による離間カム３８の回転力が不足して、可動接点板２７，２８の弾性力に抗してスイッチレバー３０，３１を高段部３８１に押上げる能力に欠ける恐れを克服して、確実にスイッチ３６，３７をオフさせる動作を保証することができる。
【００５１】
また、図示しないが第四実施例として、このような構成において、離間カム３８に複数の高段部３８１を適当な間隔で設けて時限動作中にスイッチ３６，３７を同時にオン・オフし、モータ４０を間欠的に動作させることも可能である。すなわち、洗濯機に使用した場合には、漬け置き機能のプログラムを付加することができる。
【００５２】
【発明の効果】
以上の説明で明らかなように、本発明に係わるタイムスイッチによれば、反転スイッチとメインスイッチとを集成したので、スイッチング回路が簡素化され、入力電源端子間が離間するのでトラッキングの発生を解消することができ、安全性が向上する。また、インサートモールドする電気部品の点数を減少させることができ金型の簡略化が図れる。
【図面の簡単な説明】
【図１】本発明に係わるタイムスイッチの第一実施例の平面図である。
【図２】図１のII−II線に沿った展開断面図である。
【図３】本発明に係わるタイムスイッチの第一実施例の分解斜視図である。
【図４】本発明に係わるタイムスイッチの動作を説明する（ａ）は作動時、（ｂ）は停止時の概略を示す部分的平面図である。
【図５】本発明に係わるタイムスイッチの第二実施例の概略を示す部分的平面図である。
【図６】本発明に係わるタイムスイッチの第三実施例の概略を示す部分的平面図である。
【図７】従来のタイムスイッチの平面図である。
【符号の説明】
１０  タイムスイッチ
１２  ゼンマイ
１５  主軸
２３  慣性振子
２５  タイマー機構
２６  動作カム
２７，２８  可動接点板
２９  固定接点板
３０，３１  スイッチレバー
３６，３７  スイッチ
３８  離間カム
３９  離間レバー
４０  モータ
４１  停止カム
４２  停止用接片部材
１１２，１１３，１１４  外部接続端子
【図１】
0004132697.tif 000002
【図２】
0004132697.tif 000003
【図３】
0004132697.tif 000004
【図４】
0004132697.tif 000005
【図５】
0004132697.tif 000006
【図６】
0004132697.tif 000007
【図７】
0004132697.tif 000008